(57)【要約】【課題】本発明は、一般的なＬＥＤおよび受光素子を用いながらも、素子の応答周波数以上の広い帯域において信号を重畳することで、高速大容量光通信を実現する。【解決手段】可視光通信信号送信機は、外部から信号が入力される入力端子、入力端子に入力された信号を受信しアナログ入力信号として出力するアナログ信号入力部、基本信号を出力する基本信号入力部、アナログ信号入力部および基本信号入力部に接続された加算器、加算器に接続された発光部を備え、加算器において、入力端子に入力される信号応じたアナログ入力信号が基本信号に重畳される。 【選択図】図１
2020088584.tif 000002
【特許請求の範囲】
【請求項１】
外部から信号が入力される入力端子、
前記入力端子に入力された信号を受信しアナログ入力信号として出力するアナログ信号入力部、
基本信号を出力する基本信号入力部、
前記アナログ信号入力部および前記基本信号入力部に接続された加算器、
前記加算器に接続された発光部を備え、
前記加算器において、前記入力端子に入力される信号に応じた前記アナログ入力信号が前記基本信号に重畳され、アナログ入力信号は１００ＭＨｚ以上の信号を含むことを特徴とする、可視光通信信号送信機。
【請求項２】
前記基本信号入力部は可視光通信における通信の状態に関する通信状態信号を受信する通信状態受信端子を備え、前記通信状態信号に応じて前記基本信号を変化させることを特徴とする、請求項１に記載の可視光信号送信機。
【請求項３】
前記アナログ信号入力部は、前記入力端子に入力された信号を変調した前記アナログ入力信号を出力するアナログ信号変調部であることを特徴とする、請求項１または２のいずれかに記載の可視光通信信号送信機。
【請求項４】
前記アナログ信号入力部に接続されたアナログ信号増幅部を備え、
前記アナログ信号入力部はアナログ信号増幅部を介して前記加算器に接続されることを特徴とする、請求項１ないし３のいずれかに記載の可視光通信信号送信機。
【請求項５】
前記アナログ信号増幅部は、前記発光部の周波数特性に応じた周波数ごとの増幅特性を有することを特徴とする、請求項３または４のいずれかに記載の可視光通信信号送信機。
【請求項６】
前記加算器は、帯域補償部を介して前記発光部に接続され、
前記帯域補償部は、前記発光部の周波数特性に応じた周波数ごとの増幅特性を有することを特徴とする、請求項１ないし５のいずれかに記載の可視光通信信号送信機。
【請求項７】
前記基本信号入力部は、基本信号制御信号受信部を有し、前記基本信号制御信号に応じて前記基本信号を出力することを特徴とする、請求項１ないし６のいずれかに記載の可視光通信信号送信機。
【請求項８】
前記基本信号は照明信号であり、前記照明信号は前記アナログ入力信号より大きく、前記発光部は照明機器であることを特徴とする、請求項１ないし７のいずれかに記載の可視光通信信号送信機。
【請求項９】
受光部、前記受光部に接続された信号復調部を備え、
前記信号復調部は、アナログ信号処理部を備え、
前記アナログ信号処理部は、前記受光部が受信した１００ＭＨｚ以上の信号を含む受信信号に含まれるアナログ入力信号を復調することを特徴とする、可視光通信信号受信機。
【請求項１０】
前記受光部は、アバランシェ・フォト・ダイオードを有することを特徴とする、請求項９に記載の可視光通信信号受信機。
【請求項１１】
前記受光部は、アレイ状に配置された複数のアバランシェ・フォト・ダイオードを有することを特徴とする、請求項９に記載の可視光通信信号受信機。
【請求項１２】
前記受光部と前記信号復調部は、バンドパスフィルタまたはハイパスフィルタを介して接続されることを特徴とする、請求項９ないし１１のいずれかに記載の可視光通信信号受信機。
【請求項１３】
請求項１ないし９のいずれかに記載の可視光通信信号送信機、および、請求項９ないし１２のいずれかに記載の可視光信号受信機を備えたことを特徴とする、可視光通信システム。
【請求項１４】
請求項１ないし８のいずれかに記載の可視光通信信号送信機、および、請求項９ないし１２のいずれかに記載の可視光信号受信機を同一の筺体内に備えたことを特徴とする、可視光通信システム。
【発明の詳細な説明】
【技術分野】
【０００１】
本発明は、可視光域の光を用いて通信を行う、可視光通信システムに関する。
【背景技術】
【０００２】
従来、可視光通信においては、レーザ発光ダイオード（ＬＥＤ）やレーザ光をＯＮ／ＯＦＦする方式が用いられており、遮断周波数は数ＭＨｚから５０ＭＨｚ、通信速度は数Mbps〜数十Ｍｂｐｓ程度であった。高感度で高速応答性の青色光用フォトダイオードを使用するものなども知られている（特許文献１）。
可視光通信では、ある程度の距離において通信するためには、高出力が求められる。さらに、高速通信を行おうとすれば、高出力かつ高遮断周波数の特殊なＬＥＤや、それに対応した受光素子を用いなければならなかった。
【０００３】
また、通信方式として、デジタル変調した信号を逆フーリエ変換した後、Ｄ／Ａ変換して送信し、受信した信号を復調、Ａ／Ｄ変換してフーリエ変換する可視光通信装置も知られている（特許文献２）。
さらに、デジタル変調した信号をＤ／Ａ変換して送信する可視光通信装置も知られている（特許文献３、特許文献４）。
【先行技術文献】
【特許文献】
【０００４】
【特許文献１】特許第５３７４２０２号明細書
【特許文献２】特許第５５３９２４７号明細書
【特許文献３】特許第５８１１５３１号明細書
【特許文献４】特許第６３５３２８０号明細書
【発明の概要】
【発明が解決しようとする課題】
【０００５】
デジタル信号やデジタル信号を元にしたアナログによる通信の場合、LEDなどの発光部（光源）への出力電圧は図２５に示されるように矩形波になることが望ましい。なお、ｔは時間を示す。
【０００６】
しかし、実際には、図２６に示されるように、信号の立ち上がりに遅れが生じ、かつ、入力電圧が０となった後も出力電圧が完全に０となるまでに時間がかかるため、信号がなまってしまう。
さらに高速な通信を行おうとした場合、図２７に示されるように、信号のなまりがひどくなり、通信が困難となる。
信号がなまると、それに従って、通信速度は低下する。
【０００７】
また、引用文献３および引用文献４に記載の技術は、そもそも光源からの光を変調する技術であり、LEDなどの発光部における光信号のなまりに対処するものではない。
【０００８】
そこで、本発明は、一般的なＬＥＤおよび受光素子を用いながらも、素子の応答周波数以上の広い帯域において信号を重畳することで、高速大容量光通信を実現することを目的とする。
【課題を解決するための手段】
【０００９】
上述の課題を解決するため、本発明の請求項１に係る可視光通信信号送信機は、外部から信号が入力される入力端子、前記入力端子に入力された信号を受信しアナログ入力信号として出力するアナログ信号入力部、基本信号を出力する基本信号入力部、前記アナログ信号入力部および前記基本信号入力部に接続された加算器、前記加算器に接続された発光部を備え、前記加算器において、前記入力端子に入力される信号に応じた前記アナログ入力信号が前記基本信号に重畳され、アナログ入力信号は１００ＭＨｚ以上の信号を含むことを特徴とする、可視光通信信号送信機である。
本構成により、アナログ信号により通信を行うため、デジタル信号に比べて大容量高速通信が容易となる。また、デジタル信号ではなく、アナログ入力信号を用いることにより、１００ＭＨｚ以上の信号による通信が可能となる。そして、アナログ信号は１００ＭＨｚ以上の信号を含むことから、従来と比べて高速な通信が可能となる。
本発明の請求項２に係る可視光信号送信機は、前記基本信号入力部は可視光通信における通信の状態に関する通信状態信号を受信する通信状態受信端子を備え、前記通信状態信号に応じて前記基本信号を変化させることを特徴とする、請求項１に記載の可視光信号送信機である。
通信路の状態など、通信の状態に関する通信状態信号に応じて基本信号を変化させ、通信の状態にダイナミックに対応した通信を行うことで通信の安定性や精度を向上させることができる。
本発明の請求項３に係る可視光通信信号送信機は、前記アナログ信号入力部は、前記入力端子に入力された信号を変調した前記アナログ入力信号を出力するアナログ信号変調部であることを特徴とする、請求項１または２のいずれかに記載の可視光通信信号送信機である。
本構成により、入力端子に入力された信号をアナログ入力信号としてアナログ信号により通信を行うため、デジタル信号に比べて大容量高速通信が容易となる。
本発明の請求項４に係る可視光通信信号送信機は、前記アナログ信号入力部に接続されたアナログ信号増幅部を備え、前記アナログ信号入力部はアナログ信号増幅部を介して前記加算器に接続されることを特徴とする、請求項１ないし３のいずれかに記載の可視光通信信号送信機である。
本構成により、入力端子に入力された信号がそのままでは通信に耐えられない場合でも、増幅されることで通信が可能となる。
本発明の請求項５に係る可視光通信信号送信機は、前記アナログ信号増幅部は、前記発光部の周波数特性に応じた周波数ごとの増幅特性を有することを特徴とする、請求項３または４のいずれかに記載の可視光通信信号送信機である。
本構成により、発光部における周波数特性による影響を抑制することができ、より精度の高い通信が可能となる。
本発明の請求項６に係る可視光通信信号送信機は、前記加算器は、帯域補償部を介して前記発光部に接続され、前記帯域補償部は、前記発光部の周波数特性に応じた周波数ごとの増幅特性を有することを特徴とする、請求項１ないし５のいずれかに記載の可視光通信信号送信機である。
本構成により、基本信号およびアナログ入力信号が加算された信号に対して、発光部の周波数特性に応じた増幅が可能となり、より精度の高い通信が可能となる。
本発明の請求項７に係る可視光通信信号送信機は、前記基本信号入力部は、基本信号制御信号受信部を有し、前記基本信号制御信号に応じて前記基本信号を出力することを特徴とする、請求項１ないし６のいずれかに記載の可視光通信信号送信機である。
本構成により、基本信号を制御することができ、例えば、通信に用いられるアナログ入力信号の強度に応じた基本信号とすることで、より精度の高い通信が可能となる。
本発明の請求項８に係る可視光通信信号送信機は、前記基本信号は照明信号であり、前記照明信号は前記アナログ入力信号より大きく、前記発光部は照明機器であることを特徴とする、請求項１ないし７のいずれかに記載の可視光通信信号送信機である。
本構成により、照明信号に比べてアナログ入力信号が小さいため、照明機器として照明に用いられている間も、ちらつきなど通信による影響を抑えることができる。
本発明の請求項９に係る可視光通信信号受信機は、受光部、前記受光部に接続された信号復調部を備え、  前記信号復調部は、アナログ信号処理部を備え、  前記アナログ信号処理部は、前記受光部が受信した１００ＭＨｚ以上の信号を含む受信信号に含まれるアナログ入力信号を復調することを特徴とする、可視光通信信号受信機である。
本構成により、アナログ信号により通信を行うため、デジタル信号に比べて大容量高速通信が容易となる。また、デジタル信号ではなく、アナログ信号を用いることにより、１００ＭＨｚ以上の信号による通信が可能となる。そして、アナログ信号は１００ＭＨｚ以上の信号を含むことから、従来と比べて高速な通信が可能となる。
本発明の請求項１０に係る可視光通信信号受信機は、前記受光部は、アバランシェ・フォト・ダイオードを有することを特徴とする、請求項９に記載の可視光通信信号受信機である。
アバランシェ・フォト・ダイオード（以下「ＡＰＤ」）は小面積でも十分で、かつ、高速の応答特性を有するため、本構成により、より小型の可視光通信信号受信機により、より高速の通信が可能となる。
本発明の請求項１１に係る可視光通信信号受信機は、前記受光部は、アレイ状に配置された複数のアバランシェ・フォト・ダイオードを有することを特徴とする、請求項９に記載の可視光通信信号受信機である。
本構成により、ＡＰＤを用いる利点に加えて、通信方向の検知なども可能となる。
本発明の請求項１２に係る可視光通信信号受信機は、前記受光部と前記信号復調部は、バンドパスフィルタまたはハイパスフィルタを介して接続されることを特徴とする、請求項９ないし１１のいずれかに記載の可視光通信信号受信機である。
本構成により、外部のノイズ信号などを減衰させることができ、より精度の高い通信が可能となる。
本発明の請求項１３に係る可視光通信システムは、請求項１ないし９のいずれかに記載の可視光通信信号送信機、および、請求項９ないし１２のいずれかに記載の可視光信号受信機を備えたことを特徴とする、可視光通信システムである。
本構成により、以上で述べた利点を備えた可視光通信システムが可能となる。
本発明の請求項１４に係る可視光通信システムは、請求項１ないし８のいずれかに記載の可視光通信信号送信機、および、請求項９ないし１２のいずれかに記載の可視光信号受信機を同一の筺体内に備えたことを特徴とする、可視光通信システムである。
本構成により、可視光通信システムにおいて双方向の送受信が可能となり、例えば照明間での双方向通信や、照明と携帯通信端末との間、通信端末同士での双方向通信が可能となる。
【図面の簡単な説明】
【００１０】
【図１】本発明の一実施例における可視光通信システムの可視光通信信号送信機の構成を示す。
【図２】本発明の一実施例における発光部に入力される信号の例を示す。
【図３】本発明の一実施例における発光部に入力される信号の例を示す。
【図４】本発明の一実施例における発光部に入力される信号の例を示す。
【図５】本発明の一実施例における可視光通信システムの可視光通信信号送信機の構成を示す。
【図６】本発明の一実施例における発光部に入力される信号の例を示す。
【図７】本発明の一実施例における発光部に入力される信号の例を示す。
【図８】本発明の一実施例における可視光通信システムの可視光通信信号送信機の構成を示す。
【図９】本発明の一実施例における発光部の発光効率の例を示す。
【図１０】本発明の一実施例におけるアナログ信号増幅部の増幅率の例を示す。
【図１１】本発明の一実施例における可視光通信システムの可視光通信信号送信機の構成を示す。
【図１２】本発明の一実施例における可視光通信システムの可視光通信信号送信機の構成を示す。
【図１３】本発明の一実施例における可視光通信システムの可視光通信信号送信機の構成を示す。
【図１４】本発明の一実施例における可視光通信システムの可視光通信信号送信機の構成を示す。
【図１５】本発明の一実施例における可視光通信システムの可視光通信信号送信機の構成を示す。
【図１６】本発明の一実施例における可視光通信システムの可視光通信信号送信機の構成を示す。
【図１７】本発明の一実施例における可視光通信システムの可視光通信信号送信機の構成を示す。
【図１８】本発明の一実施例における可視光通信システムの可視光通信信号送信機の構成を示す。
【図１９】本発明の一実施例における可視光通信システムの可視光通信信号受信機の構成を示す。
【図２０】本発明の一実施例におけるＡＰＤアレイの構成を示す。
【図２１】本発明の一実施例における可視光通信システムの可視光通信信号受信機の構成を示す。
【図２２】本発明の一実施例における可視光通信システムの可視光通信信号受信機の構成を示す。
【図２３】本発明の一実施例における可視光通信システムの可視光通信信号受信機の構成を示す。
【図２４】本発明の一実施例における可視光通信システムの構成を示す。
【図２５】ＬＥＤへの出力電圧の例を示す。
【図２６】ＬＥＤへの出力電圧の例を示す。
【図２７】ＬＥＤへの出力電圧の例を示す。
【発明を実施するための形態】
【００１１】
図１は、本発明の一実施例における可視光通信システム１００の、可視光通信信号送信機２００の構成を示し、図２から図４は、最終的に発光部２９０に入力される信号の例を示す。
可視光通信信号送信機２００は、外部から信号が入力される入力端子２１０、アナログ信号入力部２２０、基本信号入力部２４０、加算器２６０、出力端子２８０、発光部２９０を備える。
アナログ信号入力部２２０は、入力端子２１０に入力された信号を受信し、例えば図２に示されるような数百ＭＨｚの高周波などのアナログ入力信号として出力する。
基本信号入力部２４０は、例えば図３に示されるような一定の信号など、基本信号を出力する。
【００１２】
加算器２６０は、アナログ信号入力部２２０および基本信号入力部２４０に接続され、図４に示されるように、アナログ入力信号および基本信号を加算した信号を出力する。
発光部２９０は例えばＬＥＤ等のレーザ発光部などであり、出力端子２８０を介して加算器２６０に接続される。必要に応じて、レンズ２９５などの光学素子を設けて、発光部２９０からの光信号がレンズ２９５を通して出力される構成としも良い。
【００１３】
本構成により、加算器２６０において、外部から入力端子に入力される信号に応じたアナログ入力信号が基本信号に重畳される。
本構成により、アナログ信号により通信を行うため、デジタル信号に比べて大容量高速通信が容易となる。
【００１４】
アナログ入力信号は５０ＭＨｚ以上の信号を含むことができる。本明細書において「アナログ入力信号は５０ＭＨｚ以上の信号を含む」とは、当然、ノイズとしての５０ＭＨｚ以上の信号を含むという意味ではなく、５０ＭＨｚ以上の信号を、受信側において信号として処理可能な状態で送信することを意味する。
【００１５】
さらに、アナログ入力信号は１００ＭＨｚ以上の信号を含むことができる。本明細書および請求の範囲において「アナログ入力信号は１００ＭＨｚ以上の信号を含む」とは、当然、ノイズとしての１００ＭＨｚ以上の信号を含むという意味ではなく、１００ＭＨｚ以上の信号を、受信側において信号として処理可能な状態で送信することを意味する。
一般のＬＥＤ素子の応答周波数は５０ＭＨｚ程度までであるが、素子の応答周波数以上の広い帯域において信号を重畳することで、高速大容量光通信が実現できる。
【００１６】
図５は、本発明の一実施例における可視光通信システム１００の、可視光通信信号送信機２００の構成を示す。
本実施例において、基本信号入力部２４０は、通信状態受信端子２４１を備える。通信状態受信端子２４１は、可視光通信における通信の状態に関する通信状態信号を受信する。そして、基本信号入力部２４０は、通信状態受信端子２４１を通して受信した通信状態信号に応じて基本信号を変化させる。
基本信号は、通信路の状態に応じて変化する。通信路の状態がほぼ一定である場合、例えば図３に示されるような一定の信号である。通信路の状態が急激に変化する場合には、例えば図６に示されるように急激に増減する。また、例えば通信路の起点となる光源の状態が熱により次第に変化する場合には、図７に示されるように変化する。
【００１７】
図８は、本発明の一実施例における可視光通信システム１００の、可視光通信信号送信機２００の構成を示す。
可視光通信信号送信機２００は、アナログ信号入力部２２０に接続されたアナログ信号増幅部である増幅部２５０を備え、アナログ信号入力部２２０はアナログ信号増幅部である増幅器２５０を介して加算器２６０に接続される。
本構成により、入力端子２１０に入力された信号がそのままでは通信に耐えられない場合でも、増幅されることで通信が可能となる。
【００１８】
発光部２９０にはＬＥＤなどの発光素子を用いることができるが、発光素子への入力電圧に対する発光効率は、例えば図９に示されるように、高周波になるほど低くなる傾向にある。なお、図９、図１０のｆは周波数を示す。
このため、アナログ信号増幅部である増幅部２５０は、発光部２９０の周波数特性に応じた周波数ごとの増幅特性を有する構成とすることもできる。この場合、例えば、発光部２９０において、図９に示されるように、周波数ｆが高いほど発光効率が低くなる場合、予めアナログ信号増幅部２５０において、図１０に示されるように、周波数ｆが高いほど増幅率を高くしておくなど、アナログ信号増幅部２５０が、発光部２９０の周波数特性と逆の周波数特性を有する構成とすることができる。
【００１９】
本構成により、入力端子２１０に入力される元の信号に対して、より精確な信号を発光部２９０から送信することで、発光部２９０における周波数特性による影響を抑制することができ、より精度の高い通信が可能となる。
【００２０】
アナログ信号入力部２２０の後の、アナログ信号増幅部である増幅部２５０において、発光効率を補償する代わりに、図１１におけるように、加算器２６０が、発光部２９０の周波数特性に応じた周波数ごとの増幅特性を有する帯域補償部２７０を介して、発光部２９０に接続される構成とすることもできる。
本構成により、基本信号およびアナログ入力信号が加算された信号に対して、発光部２９０の周波数特性に応じた増幅が可能となり、より精度の高い通信が可能となる。
【００２１】
図１２、図１３は、本発明の一実施例における可視光通信システム１００の、可視光通信信号送信機２００の構成を示す。
アナログ信号入力部２２０は、入力端子２１０に入力された信号を変調したアナログ入力信号を出力するアナログ信号変調部２２１である。
本構成により、入力端子２１０に入力される信号が、デジタル信号や通信に最適化されていない信号である場合にも、アナログ入力信号として変調を行うことで、最適な信号により通信を行うことができる。
【００２２】
図１３に示されるように、可視光通信信号送信機２００は、アナログ信号変調部２２１に接続されたアナログ信号増幅部である増幅部２５０を備え、アナログ信号入力部２２０は増幅器２５０を介して加算器２６０に接続される構成とすることもできる。
【００２３】
図１４は、本発明の一実施例における可視光通信システム１００の、可視光通信信号送信機２００の構成を示す。
基本信号入力部２４０は、基本信号制御信号受信部２４２を有する。
基本信号入力部２４０は、基本信号制御信号受信部２４２を介して受信した、基本信号制御信号に応じた基本信号を出力する。
本構成により、基本信号を制御することができ、例えば、通信に用いられるアナログ入力信号の強度に応じた基本信号とすることで、より精度の高い通信が可能となる。
【００２４】
図１５に示されるように、基本信号を照明信号として、発光部２９０は照明機器２９１とすることもできる。本構成の場合、照明信号はアナログ入力信号より大きくすることができる。この場合、照明信号に比べてアナログ入力信号が小さいため、照明機器として照明に用いられている間に通信を行っても、ちらつきなどによる影響を抑えることができる。
請求項における「前記基本信号は照明信号であり」との記載は、基本信号が照明信号を含む場合も含む。つまり、照明信号は、常にアナログ入力信号より大きくするために、定常状態にある信号に、照明機器を任意の明るさで発光させるための信号を加えたものとすることができる。
【００２５】
また、図１６に示されるように、アナログ信号増幅器２５０および帯域補償部２７０の双方を有するものとすることもできる。
【００２６】
入力端子２１０に入力される信号が、通信に適切なアナログ信号である場合には、図１７や図１８に示されるように、アナログ信号入力部２２０やアナログ信号変調部２２１を有しない構成とすることもできる。
【００２７】
図１９は、本発明の一実施例における可視光通信システム１００の、可視光通信信号受信機３００の構成を示す。
可視光通信信号受信機３００は、受光部３１０、信号復調部３５０を備える。
受光部３１０は、レンズ３０１を通して信号を受信する構成とすることもできる。
信号復調部３５０は、受光部３１０に接続されており、アナログ信号処理部３５１を備える。
アナログ信号処理部３５１は、受光部３１０が受信した受信信号に含まれるアナログ入力信号を復調する。
【００２８】
受光部は、前述の可視光通信信号送信機から送信された信号を受信する。そして、アナログ信号処理部は、受光部が受信した信号、つまり受信信号に含まれる、アナログ入力信号を復調する。
アナログ信号処理部は、受光部が受信した１００ＭＨｚ以上の信号を含む受信信号に含まれるアナログ入力信号を復調することができる。
【００２９】
本構成により、アナログ信号により通信を行うため、デジタル信号に比べて大容量高速通信が容易となる。
また、信号復調部３５０は、受光部３１０からの信号をアナログ信号処理部３５１で処理した後、アナログ信号処理部３５１に接続されたアナログ信号復調部３５２で信号を復調する構成とすることもできる。
【００３０】
受光部３１０は、アバランシェ・フォト・ダイオードを有する構成とすることもできる。
アバランシェ・フォト・ダイオード（以下「ＡＰＤ」）は小面積でも十分で、かつ、高速の応答特性を有するため、本構成により、より小型の可視光通信信号受信機３００により、より高速の通信が可能となる。
あるいは、受光部３１０は、図２０に示されるような、アレイ状に配置された複数のアバランシェ・フォト・ダイオード、つまりＡＰＤアレイ３１１を有する構成とすることもできる。
本構成により、ＡＰＤを用いる利点に加えて、通信方向の検知なども可能となる。
【００３１】
図２１、図２２に示されるように、受光部３１０と信号復調部３５０は、バンドパスフィルタ３２１またはハイパスフィルタ３２２を介して接続される構成とすることもできる。
本構成により、外部のノイズ信号などを減衰させることができ、より精度の高い通信が可能となる。
【００３２】
図２３は、本発明の一実施例における可視光通信システム１００の構成を示す。
可視光通信システム１００は、上述の可視光通信信号送信機２００、および、上述の可視光信号受信機を備える。
【００３３】
図２４は、本発明の一実施例における可視光通信システム１００Ａ、１００Ｂの構成を示す。
可視光通信システム１００Ａは、上述の可視光通信信号送信機２００Ａ、および、上述の可視光信号受信機３００Ａを同一の筺体１０１A内に備え、可視光通信システム１００Ｂは、上述の可視光通信信号送信機２００Ｂ、および、上述の可視光信号受信機を同一の筺体１０１B内に備える。
本構成により、可視光通信システム１００Ａおよび可視光通信システム１００Ｂにおいて双方向の送受信が可能となり、例えば照明間での双方向通信や、照明と携帯通信端末との間、通信端末同士での双方向通信が可能となる。
【００３４】
本発明は以上の実施例に限定されることなく、本発明の趣旨を逸脱しない範囲で様々な実施例を含むことは言うまでもない。
例えば、可視光通信システムは、車両などの移動体に設ける構成とすることもできる。
発光部としては、青色レーザ発光ダイオードなどを用いることもできる。
【符号の説明】
【００３５】
１００  可視光通信システム
１００Ａ  可視光通信システム
１００Ｂ  可視光通信システム
１０１Ａ  筺体
１０１Ｂ  筺体
２００  可視光通信信号送信機
２００Ａ  可視光通信信号送信機
２００Ｂ  可視光通信信号送信機
２１０  入力端子
２２０  アナログ信号入力部
２２１  アナログ信号変調部
２４０  基本信号入力部
２４１  通信状態受信端子
２４２  基本信号制御信号受信部
２５０  増幅器
２６０  加算器
２７０  帯域保証部
２８０  出力端子
２９０  発光部
２９５  レンズ
３００  可視光通信信号受信機
３００Ａ  可視光通信信号受信機
３００Ｂ  可視光通信信号受信機
３０１  レンズ
３１０  受光部
３１１  PADアレイ
３２１  バンドパスフィルタ
３２２  ハイパスフィルタ
３５０  信号復調部
３５１  アナログ信号処理部
３５２  アナログ信号復調部
【図１】
2020088584.tif 000003
【図２】
2020088584.tif 000004
【図３】
2020088584.tif 000005
【図４】
2020088584.tif 000006
【図５】
2020088584.tif 000007
【図６】
2020088584.tif 000008
【図７】
2020088584.tif 000009
【図８】
2020088584.tif 000010
【図９】
2020088584.tif 000011
【図１０】
2020088584.tif 000012
【図１１】
2020088584.tif 000013
【図１２】
2020088584.tif 000014
【図１３】
2020088584.tif 000015
【図１４】
2020088584.tif 000016
【図１５】
2020088584.tif 000017
【図１６】
2020088584.tif 000018
【図１７】
2020088584.tif 000019
【図１８】
2020088584.tif 000020
【図１９】
2020088584.tif 000021
【図２０】
2020088584.tif 000022
【図２１】
2020088584.tif 000023
【図２２】
2020088584.tif 000024
【図２３】
2020088584.tif 000025
【図２４】
2020088584.tif 000026
【図２５】
2020088584.tif 000027
【図２６】
2020088584.tif 000028
【図２７】
2020088584.tif 000029